(57)【特許請求の範囲】
【請求項１】
機器本体が、インクリボンをリールに巻回した状態で収容したカートリッジを着脱自在に装着するポケットを備え、当該ポケットが、少なくとも幅狭のインクリボンを収容した薄型カートリッジおよび幅広のインクリボンを収容した厚型カートリッジを受容可能に構成されたテープ印刷装置において、
前記薄型カートリッジには、前記リールの回転を阻止する第１阻止片が設けられ、前記厚型カートリッジには、前記リールの回転を阻止する第２阻止片が設けられ、
前記機器本体は、前記ポケットに臨み、前記薄型カートリッジの着座部を当該ポケットの浅い位置に受ける第１支持部および前記厚型カートリッジの着座部を当該ポケットの深い位置に受ける第２支持部を有すると共に、前記ポケットに臨み、前記第１阻止片の阻止状態を解除させると共に当該ポケットから退避可能に構成された第１解除部材および前記第２阻止片の阻止状態を解除させる第２解除部材を有し、
前記第１支持部は、前記ポケットに装着した前記厚型カートリッジの着座部に対し相対的に逃げた位置に配設され、
前記第２支持部は、前記ポケットに装着した前記薄型カートリッジの着座部に対し相対的に逃げた位置に配設され、
前記第２解除部材は、前記ポケットに装着した前記薄型カートリッジに対し相対的に逃げた位置に配設され、
前記厚型カートリッジには、前記ポケットへの装着に伴い前記第１解除部材を前記ポケットから退避させる押圧部が形成されていることを特徴とするテープ印刷装置。
【請求項２】
機器本体が、印刷対象物であるテープ状部材を収容したカートリッジを着脱自在に装着するポケットを備え、当該ポケットが、少なくとも幅狭のテープ状部材を収容した薄型カートリッジおよび幅広のテープ状部材を収容した厚型カートリッジを受容可能に構成されたテープ印刷装置において、
前記各カートリッジには、前記テープ状部材を巻回したテープリールと当該テープリールの回転を規制する回転規制部材とがそれぞれ設けられ、
前記機器本体は、前記ポケットに臨み、前記薄型カートリッジの着座部を当該ポケットの浅い位置に受ける第１支持部および前記厚型カートリッジの着座部を当該ポケットの深い位置に受ける第２支持部を有すると共に、前記ポケットに臨み、前記各回転規制部材を規制解除状態に相対的に押圧する規制解除突起を有し、
前記第１支持部は、前記ポケットに装着した前記厚型カートリッジの着座部に対し相対的に逃げた位置に配設され、
前記第２支持部は、前記ポケットに装着した前記薄型カートリッジの着座部に対し相対的に逃げた位置に配設され、
前記規制解除突起は、前記薄型カートリッジの前記回転規制部材を押圧する第１押圧部と、前記厚型カートリッジの前記回転規制部材を押圧する第２押圧部とを有し、
前記第１押圧部は、前記ポケットに装着した前記厚型カートリッジの前記回転規制部材に対し相対的に逃げた位置に配設され、
前記第２押圧部は、前記ポケットに装着した前記薄型カートリッジの前記回転規制部材に対し相対的に逃げた位置に配設されていることを特徴とするテープ印刷装置。
【発明の詳細な説明】
【０００１】
【発明の属する技術分野】
本発明は、印刷に供するテープ状部材を搭載した各種厚みの異なるカートリッジが、着脱自在に装着されるテープ印刷装置に関するものである。
【０００２】
【従来の技術】
従来、この種のテープ印刷装置として、例えば特開平６−１２２２３９号公報に記載のものが知られている。このテープ印刷装置は、インクリボンを用いて無地のテープに所望の文字を印刷（印字）すると共に、これを切断してラベルを作成するものである。消耗品であるテープおよびインクリボンは、それぞれリールに巻回してカートリッジに収容され、この状態で機器本体に提供される。機器本体には、カートリッジが上側から着脱自在に装着されるポケットが形成されると共に、ポケットに装着したカートリッジに臨んで、テープおよびインクリボンを走行させる各種の駆動軸やこれに印字を行う印字ヘッドが設けられている。
【０００３】
テープおよびインクリボンには幅の異なる５種類（６ｍｍ、９ｍｍ、１２ｍｍ、１８ｍｍ、２４ｍｍ）のものが用いられ、これに対応して厚みの異なる２種類（６ｍｍ、９ｍｍおよび１２ｍｍ用と、１８ｍｍおよび２４ｍｍ用）のカートリッジが用意されている。また、厚みの異なる５種類のインクリボン（およびテープ）に対応して、機器本体には最大幅のインクリボンに合わせて発熱素子アレイを持つ印字ヘッドが搭載されている。また、厚みの異なる２種類のカートリッジが、いずれもポケットの底板に着座するように装着されるため、薄型のカートリッジでも簡単に取り出し得るように、ポケットの両側部には指を挿入するための深いカートリッジ取出し溝が形成されている。
【０００４】
【発明が解決しようとする課題】
近年、このようなテープ印刷装置において、更に幅の広いテープ（例えば３６ｍｍなど）の使用が要望されている。かかる場合には、より厚型のカートリッジが必要になると共に、このカートリッジ用にポケットを深く執れるように装置本体の高さを高くする必要がある。この場合、ポケットが深くなる分、カートリッジ取出し溝も深くする必要があるが、実際にはカートリッジ取出し溝の幅も広く形成しないと、指を深く挿入することができなくなり、薄型のカートリッジの取り出しができなくなる。このため、装置本体の幅も広くする必要が生ずる。もっとも、薄型のカートリッジをやめ、６ｍｍ、９ｍｍおよび１２ｍｍのテープ（およびインクリボン）も、１８ｍｍおよび２４ｍｍ用の中型のカートリッジに収容するようにすれば、かかる問題は解消される。しかし、このようにすると、既に出回っている薄型のカートリッジが使用できなくなる不具合が生ずる。
【０００５】
また、この種の印字ヘッドでは、発熱素子アレイがテープおよびインクリボンに均一に当接するように、中間位置を中心に軽く付勢された状態で揺動自在に設けられている。したがって、幅の広いテープに対応する印字ヘッドに、薄型のカートリッジを介して幅の狭いテープを臨ませると、印字ヘッドの中心から大きく偏った位置にテープおよびインクリボンが当接し、印字が良好に行われ難くなるおそれがある。
【０００６】
本発明は、カートリッジの取出し溝を深くすることなく、かつ機器本体に対するテープ状部材の位置を大きく変えることなく、薄型のカートリッジおよび厚型のカートリッジが使用可能なテープ印刷装置を提供することをその目的としている。
【０００７】
【課題を解決するための手段】
本発明のテープ印刷装置は、機器本体が、インクリボンをリールに巻回した状態で収容したカートリッジを着脱自在に装着するポケットを備え、ポケットが、少なくとも幅狭のインクリボンを収容した薄型カートリッジおよび幅広のインクリボンを収容した厚型カートリッジを受容可能に構成されたテープ印刷装置において、薄型カートリッジには、リールの回転を阻止する第１阻止片が設けられ、厚型カートリッジには、リールの回転を阻止する第２阻止片が設けられ、機器本体は、ポケットに臨み、薄型カートリッジの着座部をポケットの浅い位置に受ける第１支持部および厚型カートリッジの着座部をポケットの深い位置に受ける第２支持部を有すると共に、ポケットに臨み、第１阻止片の阻止状態を解除させると共にポケットから退避可能に構成された第１解除部材および第２阻止片の阻止状態を解除させる第２解除部材を有し、第１支持部は、ポケットに装着した厚型カートリッジの着座部に対し相対的に逃げた位置に配設され、第２支持部は、ポケットに装着した薄型カートリッジの着座部に対し相対的に逃げた位置に配設され、第２解除部材は、ポケットに装着した薄型カートリッジに対し相対的に逃げた位置に配設され、厚型カートリッジには、ポケットへの装着に伴い第１解除部材をポケットから退避させる押圧部が形成されていることを特徴とする。
【０００８】
この構成によれば、ポケットの浅い位置に留まるように薄型カートリッジを装着すると、その第１阻止片は機器本体に設けた第１解除部材により、リールの回転阻止状態を解除される。また、ポケットの深い位置に達するように厚型カートリッジを装着すると、その第２阻止片は機器本体に設けた第２解除部材により、リールの回転阻止状態を解除される。この場合、薄型カートリッジを装着するときには、第２解除部材は薄型カートリッジから逃げているため、これと干渉することがなく、逆に厚型カートリッジを装着するときには、第１解除部材は厚型カートリッジによりポケットから退避させられるため、これに干渉することがない。したがって、薄型、厚型を問わず、またカートリッジの着脱に影響を与えることなく、各カートリッジの阻止片の解除動作を確実に行うことができる。
【００１３】
本発明の他のテープ印刷装置は、機器本体が、印刷対象物であるテープ状部材を収容したカートリッジを着脱自在に装着するポケットを備え、ポケットが、少なくとも幅狭のテープ状部材を収容した薄型カートリッジおよび幅広のテープ状部材を収容した厚型カートリッジを受容可能に構成されたテープ印刷装置において、各カートリッジには、テープ状部材を巻回したテープリールとテープリールの回転を規制する回転規制部材とがそれぞれ設けられ、機器本体は、ポケットに臨み、薄型カートリッジの着座部をポケットの浅い位置に受ける第１支持部および厚型カートリッジの着座部をポケットの深い位置に受ける第２支持部を有すると共に、ポケットに臨み、各回転規制部材を規制解除状態に相対的に押圧する規制解除突起を有し、第１支持部は、ポケットに装着した厚型カートリッジの着座部に対し相対的に逃げた位置に配設され、第２支持部は、ポケットに装着した薄型カートリッジの着座部に対し相対的に逃げた位置に配設され、規制解除突起は、薄型カートリッジの回転規制部材を押圧する第１押圧部と、厚型カートリッジの回転規制部材を押圧する第２押圧部とを有し、第１押圧部は、ポケットに装着した厚型カートリッジの回転規制部材に対し相対的に逃げた位置に配設され、第２押圧部は、ポケットに装着した薄型カートリッジの回転規制部材に対し相対的に逃げた位置に配設されていることを特徴とする。
【００１４】
この構成によれば、ポケットの浅い位置に留まるように薄型カートリッジを装着すると、その回転規制部材は機器本体に設けた規制解除突起の第１押圧部により、テープリールの回転規制状態を解除される。また、ポケットの深い位置に達するように厚型カートリッジを装着すると、その回転規制部材は機器本体に設けた規制解除突起の第２押圧部により、テープリールの回転規制状態を解除される。この場合、薄型カートリッジを装着するときには、第２押圧部はその回転規制部材から逃げているためこれと干渉することがなく、また厚型カートリッジを装着するときには、第１押圧部はその回転規制部材から逃げているためこれと干渉することがない。したがって、薄型、厚型を問わず、またカートリッジの着脱に影響を与えることなく、各カートリッジの回転規制部材の回転規制解除を確実に行うことができる。
【００１５】
【発明の実施の形態】
以下、添付の図面に基づいて、本発明の一実施形態に係るテープ印刷装置について説明する。このテープ印刷装置は、キー入力によりテープに所望の印字（印刷）を行うと共に、テープの印字部分を切断する機能を有しており、切断されたテープの印字片は書類ファイルなどに貼着するラベルとして用いられる。すなわち、テープ印刷装置は無地のテープから文字を印刷したラベルを作成するものである。この場合、消耗品となる無地のテープおよびインクリボンはカートリッジに収容されており、カートリッジを介して装置本体に供給される。
【００１６】
図１に示すように、このテープ印刷装置１は、上下２分割の装置ケース３によりその装置本体２の外殻が形成され、前部にキー入力部４を、右後部にディプレイ５を、そして左後部にカートリッジ６を装着するためのポケット７を配設して、構成されている。ポケット７には窓付きの開閉蓋８が設けられており、開閉蓋８は後述するヒンジ部を介して装置本体２に開閉自在に取り付けられている。また、ポケット７の内部には後述するイジェクト機構（図４参照）９が組み込まれており、イジェクト機構９はカートリッジ６を受け入れると共に、受け入れたカートリッジ６を取り出し易い位置まで上昇させる。
【００１７】
このテープ印刷装置１によりラベルを作成する場合には、先ず、開閉蓋８の隅部に位置する開放ボタン１０を押して開閉蓋８を跳ね上げ後、開閉蓋８を手動で完全開放させる（図１３参照）。次に、ポケット７に上側からカートリッジ６をセットし、さらにカートリッジ６を押し込んで完全に装着する。カートリッジ６を装着したら、開閉蓋８を閉塞し、テープ印刷装置１を印字待機状態にする。次に、ディプレイ５を見ながらキー入力部４を操作して、所望の入力を行う。ディプレイ５で所望の入力が確認できたら、さらにキー入力部４を操作して印字動作を指令する。
【００１８】
印字動作が指令されると、カートリッジ６のテープＴとインクリボンＲ（図２参照）が同時に走行を開始し、熱転写による印字が行われる。この印字の進行と共に、インクリボンＲはカートリッジ６内で巻き取られるが、印字が行われたテープＴは、装置ケース３の側面に形成したテープ排出スリット１１から送り出されてゆく。印字が完了すると、余白部分用の送りが行われた後、テープＴおよびインクリボンＲの走行が停止する。続いて、装置本体２のオートカット機構が働いて、テープ排出スリット１１の部分に収容したカッタ（図示省略）が作動し、テープＴが切断される。また、カートリッジ６を取り出す場合には、開放ボタン１０を押して開閉蓋８を跳ね上げ後、開閉蓋８を手動で完全開放させる。するとこの開放動作に連動してイジェクト機構９が働き、カートリッジ６は上記のセット状態まで押し上げられる（図１４参照）。
【００１９】
図２に示すように、カートリッジ６は、上ケース２１ａと下ケース２１ｂとから成るケース２１を有し、ケース２１内には、テープＴを巻回したテープリール２２と、インクリボンＲを巻回したリボン巻出しリール２３と、使用後のインクリボンＲを巻き取るリボン巻取りリール２４とが、それぞれ回転自在に収容されている。また、ケース２１内には、後述する印字ヘッド５３に対峙するプラテンローラ２５が、回転自在に収容されている。このプラテンローラ２５とリボン巻取りリール２４とが同期して回転すると、テープＴおよびインクリボンＲは同時に走行し、プラテンローラ２５の位置で重ね合わされて、印字が行われる。印字後、インクリボンＲはリボン巻取りリール２４に巻き取られ、またテープＴは、上記のテープ排出スリット１１に連なるテープ排出口２６から送り出される。
【００２０】
また、カートリッジ６には、これを運搬および保管する時に、テープＴの先端がテープ排出口２６から内部に引き込まれないようにする機構や、インクリボンＲに弛みが生じないようにする機構が組み込まれている。テープＴが引き込まれないようにする機構は、図２および図９に示すように、テープリール２２の円筒状軸部２７の上側に配設されたコイルばね２８と、円筒状軸部２７の上面に形成されたクラウン歯車様の係合部２９とから成り、コイルばね２８の下端を径方向に折曲げて延設した線材部２８ａが、係合部２９に付勢された状態で係合する構造になっている。なお、この線材部２８ａと係合部２９との係合状態は、クリック的なものであり、テープＴの先端を強く引くことにより、テープＴをケース２１から引き出すことは可能である。
【００２１】
また、インクリボンＲの弛みを防止する機構は、図３に示すように、リボン巻出しリール２３の下端部およびリボン巻取りリール２４の下端部に、それぞれ爪片３０，３０を係止するものである。下ケース２１ｂの下面に形成された一対の丸孔３１，３１には、両リール２３，２４の下端部が面一に臨んでおり、この各下端部には周方向に複数の切欠き溝３２が形成されている（図８参照）。また、下ケース２１ｂには、各丸孔３１に連なる部位に２本のスリットが略平行に形成され、このスリットで挟まれた部分に切欠き溝３２に係止する爪片３０が形成されている。このようにして、テープリール２２の回転を規制し、またインクリボンＲの回転を阻止してテープＴおよびインクリボンＲの弛みなどを防止しているが、カートリッジ６をポケット７に装着すると、これら回転規制および回転阻止がそれぞれ解除され、テープＴおよびインクリボンＲは走行可能な状態となる（詳細は後述する）。
【００２２】
ところで、テープ（＝インクリボンＲ）Ｔには、幅の異なる複数種のものが用意され、これに対応してカートリッジ６には、厚みの異なる複数種のものが用意されている。具体的には、例えばテープＴは６ｍｍ、９ｍｍ、１２ｍｍ、１８ｍｍ、２４ｍｍおよび３６ｍｍ幅の６種類があり、カートリッジ６は６ｍｍ、９ｍｍ、１２ｍｍ用、１８ｍｍ、２４ｍｍ用および３６ｍｍの３種類がある。このうち、６ｍｍ、９ｍｍ、１２ｍｍ、１８ｍｍ、２４ｍｍ幅のテープＴは、本実施形態のテープ印刷装置１の従来機に用いられているものであり、３６ｍｍ幅のテープＴは本実施形態のテープ印刷装置１において使用可能としたものである。なお、図２中の符号３３は、上記のテープＴの幅を記載したシールであり、上ケース２１ａの表面に貼着されている。
【００２３】
このように、本実施形態のテープ印刷装置１では、薄型カートリッジ、中型カートリッジ、厚型カートリッジの３種類のカートリッジ６が使用可能である。この場合、厚型カートリッジは薄型カートリッジのほぼ２倍の厚みがあるため、これら厚みの異なる３種類のカートリッジ６をポケット７に無理なく着脱できるように、また幅の異なる６種類のテープＴに適切な印字ができるように、さらに既に出回っている薄型・中型カートリッジとの互換性を保持できるように、本実施形態のテープ印刷装置１では、イジェクト機構９を始めとする種々の構造上の工夫が為されている。以下、工夫が為された部分を中心に説明を進めるが、構造上の工夫はカートリッジ６まで及ぶため、先ずカートリッジ６の工夫部分から説明する。
【００２４】
図３は、薄型カートリッジ（同図（ａ））６ａと厚型カートリッジ（同図（ｂ））６ｂの底面図である。なお、薄型カートリッジ６ａの底面の構造と中型カートリッジの底面の構造とは、ほぼ同一（厚さのみ異なる）となるため、中型カートリッジの説明は省略する。同図に示すように、各カートリッジ６ａ，６ｂのケース２１には、印字ヘッド５３を逃げる方形の貫通開口３４が形成されると共に、貫通開口３４の上側にはプラテンローラ２５を回転させるローラ駆動軸（図４参照）５４が係合する係合孔３５が形成されている。また、テープリール２２に対応する位置には、上述したコイルばね２８を回転規制解除させる規制解除突起（図４参照）５６が挿入される挿入孔３６が形成されている。
【００２５】
さらに、リボン巻出しリール２３およびリボン巻取りリール２４に対応する位置には、上記の一対の丸孔３１，３１が形成され、一対の丸孔３１，３１のうち、リボン巻取りリール２４に対応する丸孔３１には、リボン巻取りリール２４に係合してこれを回転させるリール駆動軸（図４参照）５５が挿入される。また、薄型カートリッジ（同図（ａ））６ａには、一対の丸孔３１，３１に臨んで上記の一対の爪片３０，３０がそれぞれ形成され、厚型カートリッジ（同図（ｂ））６ｂには、リボン巻取りリール２４に対応する丸孔３１側にのみ爪片３７が形成されている。この場合爪片３０，３７の位置は、薄型カートリッジ６ａと厚型カートリッジ６ｂとでは異なっており、この薄型カートリッジ６ａの爪片３０の係止を解除する第１係止解除突起（図８（ａ）参照）５７と、厚型カートリッジ６ｂの爪片３７の係止を解除する第２係止解除突起（図８（ｂ）参照）５８も、異なる位置に配設されている（詳細は後述する）。
【００２６】
一方、厚型カートリッジ６ｂの下ケース２１ｂには、周縁部の数カ所に段部３８が形成されている。この段部３８は後述するイジェクト機構９のベースプレート（図５参照）５１に形成した支持突起５２を逃げるものである。すなわち、厚型カートリッジ６ｂでは、この段部３８を除く底面全域がベースプレート５１に着座する着座部３９ｂとなり、薄型カートリッジ６ａではこの段部３８に対応する部分が、ベースプレート５１に着座する着座部３９ａとなる（詳細は後述する）。また、図３（ｂ）の厚型カートリッジ６ｂの左下部には、下ケース２１ｂの底面が傾斜する傾斜部４０が形成されている。この傾斜部４０は、ポケット７に装着した厚型カートリッジ６ｂが第１係止解除突起５７を押し倒すときの押圧部を構成している（詳細は後述する）。
【００２７】
なお、爪片３７の近傍およびその対角位置の２箇所には、各カートリッジ６ａ，６ｂをポケット７内で位置決めするための、一対の位置決め穴４１，４１が形成され、また爪片３７が位置する各カートリッジ６ａ，６ｂの隅部には、各カートリッジ６ａ，６ｂのポケット７への装着を検出すると共にテープＴの種別を検出する検出穴（テープ幅による個数および位置が異なる）４２が形成されている。
【００２８】
このように構成されたカートリッジ６を装置本体のポケット７に装着すると、装置本体２側から各種のアクセス部材がカートリッジ６に臨む。図４は、イジェクト機構９のベースプレート５１が下降端位置にある状態のポケット７の底部を表している。同図に示すように、イジェクト機構９のベースプレート５１には、上記の支持突起５２が３箇所（図１７参照）に設けられている。また、ベースプレート５１の切欠き部分からポケット７に臨むように、印字ヘッド５３、ローラ駆動軸５４、リール駆動軸５５、規制解除突起５６、第１係止解除突起５７および第２係止解除突起５８が設けられている。この場合、印字ヘッド５３のみ、カートリッジ６の貫通開口３４が挿通するヘッドカバー５９に覆われている。さらに、上記の位置決め穴４１に対応する一対の位置決め突起６０，６０および上記の検出穴４２に対応する検出スイッチ６１の３個のプッシャが設けられている。なお、図中の符号６２，６２は、ポケット７に装着されたカートリッジ６の両側部に係合して、カートリッジ６を不動に保持する一対の係合爪片である。
【００２９】
ここで、カートリッジ６自体およびカートリッジ６の構成部品と、装置本体２側のアクセス部品との関係を、薄型カートリッジ６ａを装着した場合と厚型カートリッジ６ｂを装着した場合とで、比較しながら説明する。
【００３０】
図５（ａ）は、ポケット７に薄型カートリッジ６ａを装着した場合を、図５（ｂ）は、ポケット７に厚型カートリッジ６ｂを装着した場合を模式的に表している。上述したように、厚型カートリッジ６ｂでは、段部３８を除く底面全域がベースプレート５１に着座する着座部３９ｂとなり、薄型カートリッジ６ａではこの段部３８に対応する部分が、ベースプレート５１に着座する着座部３９ａとなっている。一方、ベースプレート５１には、３点支持となるように、その周縁部の３箇所を上側に切り起こして３個の支持突起５２，５２，５２が形成されている。すなわち、３個の支持突起５２，５２，５２により薄型カートリッジ６ａを支持する第１支持部が構成され、ベースプレート５１の平坦面により厚型カートリッジ６ｂを支持する第２支持部が構成されている。
【００３１】
したがって、ポケット７に薄型カートリッジ６ａを装着すると、薄型カートリッジ６ａは、３個の支持突起５２によりベースプレート５１の平坦面から浮いた状態で支持される（同図（ａ）参照）。一方、ポケット７に厚型カートリッジ６ｂを装着すると、厚型カートリッジ６ｂは、段部３８の部分で３個の支持突起５２を逃げ、ベースプレート５１の平坦面に支持される（同図（ｂ）参照）。このように、薄型カートリッジ６ａおよび厚型カートリッジ６ｂを装着した場合に、薄型カートリッジ６ａはポケット７の浅い位置に支持され、厚型カートリッジ６ｂはポケット７の深い位置に支持されて、薄型カートリッジ６ａがポケットに深く装着されることがない。
【００３２】
したがって、イジェクト機構９の昇降ストークを、カートリッジ６の厚さにより変えなくても、各種のカートリッジ６を取り出し易い位置まで、上昇（浮上）させることができる。また、薄型カートリッジ６ａには、特別な加工を施す必要がないため、既に出回っているものをそのまま使用することができる。なお、この実施形態では、３個の支持突起５２により薄型カートリッジ６ａを支持するようにしているが、薄型カートリッジ６ａをポケット７の浅い位置に、厚型カートリッジ６ｂを深い位置に支持できる限り、その支持構造や支持部材の個数は任意である。またこの構造は、イジェクト機構９が無いものにも適用可能である。
【００３３】
一方、同図に示すように、厚型カートリッジ６ｂではテープ（およびインクリボンＲ：３６ｍｍ）Ｔが、その厚みいっぱいに収容されているが、薄型カートリッジ６ａではテープ（およびインクリボンＲ：６ｍｍ）Ｔが、上側に寄った位置に収容されている。このため、両テープＴの幅方向の中心位置は、ほぼポケット７との深さの中間位置となる。この状態を、図６を参照して、印字ヘッド５３およびプラテンローラ２５の関係において説明する。印字ヘッド５３は、上下方向にアレイ状の発熱素子６４を備えており、上下方向の中間位置で弱いばね６５により中立位置を保持するようにして揺動自在に支持されている。このため、プラテンローラ２５側に発熱素子６４を均一に押し付け得るようになっている。
【００３４】
例えば、同図（ａ）において、テープ（６ｍｍ）Ｔの位置が下側に偏っていると、これに印字ヘッド５３を押し付けたときに、印字ヘッド５３が傾き、テープ（６ｍｍ）Ｔの下端と発熱素子６４との間に隙間が生じ、印字結果が不鮮明になる。したがって、各種テープＴの幅方向の中心を、ほぼポケット７との深さの中間位置、すなわち印字ヘッド５３の上下方向の中間位置になるようにしていることにより、幅の異なるテープＴを使用しても、印字が不鮮明になることがない。
【００３５】
次に、図７を参照して、カートリッジ６のプラテンローラ（回転体）２５とローラ駆動軸５４との関係について説明する。同図に示すように、カートリッジ６には、上記の係合孔３５に臨んでプラテンローラ２５の軸部材６７が配設されており、軸部材６７には、下端部の太軸孔６８と、これに連なり上側に延びる細軸孔６９とが形成されている。一方、ローラ駆動軸５４は、上部で太軸孔６８に係合すると共に下部で駆動源に連結された駆動軸本体７０と、駆動軸本体７０を回転自在にかつ軸方向に移動可能に軸支したセンターピン７１と、駆動軸本体７０を上側に付勢するコイルばね７２とで、構成されている。
【００３６】
駆動軸本体７０は、上記の太軸孔６８にスプライン様に係合する係合部７３と、駆動源側の出力軸７４に噛み合う歯車部７５とで構成されている。センターピン７１は、上記の細軸孔６９に挿通するピン本体７６と、ピン本体７６を支持する支持部７７とで構成されている。駆動軸本体７０の歯車部７５を含む下部は、センターピン７１の支持部７７を覆うように設けられており、駆動軸本体７０の下部内周面と、センターピン７１の支持部７７外周面との間の間隙に、コイルばね７２が装着されている。
【００３７】
同図（ａ）は、ポケット７に薄型カートリッジ６ａを装着した場合を示し、同図（ｂ）は、ポケット７に厚型カートリッジ６ｂを装着した場合を示している。同図に示すように、薄型カートリッジ６ａを装着すると、上記のように薄型カートリッジ６ａはポケット７の浅い位置に支持される。このため、コイルばね７２に付勢された駆動軸本体７０は、小さく沈み込み、プラテンローラ２５との係合状態を維持する。また、厚型カートリッジ６ｂを装着すると、上記のように厚型カートリッジ６ｂはポケット７の深い位置に支持される。このため、コイルばね７２に付勢された駆動軸本体７０は、大きく沈み込み、プラテンローラ２５との係合状態を維持する。すなわち、ローラ駆動軸５４は、薄型、厚型のいずれのカートリッジ６ａ，６ｂにも適切に係合し、これを回転させる。
【００３８】
次に、図８を参照して、カートリッジ６の爪片３０，３７と装置本体２側の第１係止解除突起５７および第２係止解除突起５８との関係について説明する。同図に示すように、第１係止解除突起５７は一対の突起部８０，８０と、一対の突起部８０，８０を連結する連結部８１と、一対の突起部８０，８０を連結部８１を介して起立するように付勢する捻りコイルばね８２とで構成されている。連結部８１は、装置本体２側に回動自在に支持され、また一対の突起部８０，８０はポケット７に装着した薄型カートリッジ６ａの一対の爪片３０，３０に対応するように配設されている。一方、第２係止解除突起５８はリール駆動軸５５の近傍に固定的に立設されている。この場合、第２係止解除突起５８は、ポケット７に装着した薄型カートリッジ６ａの下面より低い位置に配設されている。
【００３９】
同図（ａ）に示すように、ポケット７に薄型カートリッジ６ａを装着すると、薄型カートリッジ６ａの一対の爪片３０，３０に、第１係止解除突起５７の一対の突起部８０，８０が係合し、各爪片３０が折り曲げられて、リボン巻出しリール２３の切欠き溝３２およびリボン巻取りリール２４の切欠き溝３２との係止状態が、それぞれ解除される。これにより、リボン巻出しリール２３およびリボン巻取りリール２４は回転可能な状態になる。また、この場合薄型カートリッジ６ａは、ポケット７の浅い位置に支持されており、薄型カートリッジ６ａの底面は第２係止解除突起５８の上側に位置していて、これに干渉することがない。
【００４０】
一方、同図（ｂ）に示すように、ポケット７に厚型カートリッジ６ｂを装着すると、厚型カートリッジ６ｂの爪片３７に、第２係止解除突起５８が係合し、爪片３７が折り曲げられて、リボン巻取りリール２４の切欠き溝３２との係止状態が解除される。また、厚型カートリッジ６ｂの上記傾斜部（図３（ｂ）参照）４０が、第１係止解除突起５７の一対の突起部８０，８０に当接し、これを捻りコイルばね８２に抗して押し倒す。これにより、第１係止解除突起５７は、厚型カートリッジ６ｂから逃げ、厚型カートリッジ６ｂの装着が許容される。
【００４１】
このように、薄型カートリッジ６ａを装着しても、第２係止解除突起５８はこれから逃げており、また厚型カートリッジ６ｂを装着すると、第１係止解除突起５７は押し倒されるため、薄型カートリッジ６ａに対する第１係止解除突起５７の係止、および厚型カートリッジ６ｂに対する第２係止解除突起５８の係止を支障なく行わせることができる。
【００４２】
次に、図９を参照して、カートリッジ６のテープリール２２と装置本体２側の規制解除突起５６との関係について説明する。同図に示すように、規制解除突起５６は装置本体２に立設され、ベースプレート５１の中央部を貫通するようにして上方に延びている。規制解除突起５６の先端部は二股に形成されており、この二股の基端面が薄型カートリッジ６ａのコイルばね２８が当接する第１押圧部８４となっており、また二股の先端面が厚型カートリッジ６ｂのコイルばね２８が当接する第２押圧部８５となっている。具体的には、テープリール２２の円筒状軸部２７に配設されたコイルばね２８の線材部２８ａは、薄型カートリッジ６ａにおいては縦方向に延び、厚型カートリッジ６ｂにおいては横方向に延びている。これに対応して、規制解除突起５６は、第１押圧部８４が縦方向に延在するように設けられている。
【００４３】
同図（ａ）に示すように、ポケット７に薄型カートリッジ６ａを装着すると、薄型カートリッジ６ａのコイルばね２８の線材部２８ａが第１押圧部８４に当接して浮き上がり、その係合部２９との係合状態が解除される。これにより、テープリール２２が回転可能な状態になる。また、同図（ｂ）に示すように、ポケット７に厚型カートリッジ６ｂを装着すると、厚型カートリッジ６ｂのコイルばね２８の線材部２８ａが第２押圧部８５に当接して浮き上がり、その係合部２９との係合状態が解除される。
【００４４】
このように、薄型カートリッジ６ａを装着すると、その線材部２８ａは第２押圧部８５を避けて第１押圧部８４に当接し、厚型カートリッジ６ｂを装着すると、その線材部２８ａは第１押圧部８４に達することなく第２押圧部８５に当接する。したがって、ポケット７に薄型、厚型のいずれのカートリッジ６ａ，６ｂを装着しても、コイルばね２８の係合部２９からの係合解除を適切かつ確実に行うことができる。
【００４５】
次に、開閉蓋８および開閉蓋８廻りの構造について詳細に説明する。図１０および図１１に示すように、開閉蓋８は蓋本体９１の中央に窓９２を有すると共に、左部が装置本体２のテープ排出スリット１１の部分に合わせて「Ｖ」字状に形成されている。開閉蓋８の裏面後部には、ヒンジ部を構成する左右一対のヒンジ片９３，９３が形成されており、各ヒンジ片９３には円形の係合孔９４が形成されている。両ヒンジ片９３，９３は、装置本体２の後部に形成した左右一対のスリット９５，９５に差し込まれ、スリット９５内に突出する係合突起（図示省略）に回動自在に係合している。この各係合突起は半球形に形成され、開閉蓋８の幅方向外側から係合孔９４に係合している。すなわち、この一対のヒンジ片９３，９３と一対の係合突起とにより、開閉蓋８のヒンジ部が構成されている。
【００４６】
また、各ヒンジ片９３はばね性を有し、その各係合孔９４は各係合突起に対し離脱可能に構成されている。このため、開閉蓋８に無理な力が加わると、開閉蓋８は装置本体２から離脱する。すなわち、この実施形態では、カートリッジ６がポケット７に完全に装着されない状態で開閉蓋８を無理に閉塞しようとすると、閉塞阻止部材９６が邪魔してヒンジ片９３が装置本体２から外れるようになっている。
【００４７】
この構造を具体的に説明すると、図１０に示すように、イジェクト機構９の後端部中央には、長方形の閉塞阻止部材９６が突設されており、これに対応して、開閉蓋８の裏面の後端部中央には受け部材９７が突設されている。閉塞阻止部材９６は、基部でイジェクト機構９のベースプレート５１に回動自在に取り付けられると共に、図外のばねにより起立方向に付勢されている。このため、閉塞阻止部材９６は、ベースプレート５１と共に昇降し、かつばねに抗して前倒し可能に取り付けられている。すなわち、同図のように、カートリッジ６がポケット７にセットされていない状態（ただし、ベースプレート５１は上昇端位置にある）で開閉蓋８を閉塞すると、閉塞阻止部材９６は受け部材９７に押されて前倒しの状態になる。しかし、カートリッジ６がポケット７にセットされている状態（図１４参照）で開閉蓋８を閉塞すると、閉塞阻止部材９６はカートリッジ６により起立状態を保持され、開閉蓋８が閉塞阻止部材９６からの反力で装置本体２から脱落する。
【００４８】
後述するように、ベースプレート５１が上昇端位置にある場合において、ポケット７にセットしたカートリッジ６は、ポケット７に完全に装着されておらず、仮装着の状態にある。したがって、開閉蓋８を閉塞を阻止する閉塞阻止部材９６を設けることにより、使用者にカートリッジ６が仮装着の状態にあることを気付かせることができる。しかも、これに気付かず開閉蓋８を閉塞しても、単に開閉蓋８が外れるだけなので、開閉蓋８或いはカートリッジ６の破損を有効に防止することができる。また、カートリッジ６がセットされていない状態では、閉塞阻止部材９６の阻止機能が働かないようになっているため、開閉蓋８を閉塞することができ、装置本体２を簡単に待機状態にすることができる。
【００４９】
ところで、左右のヒンジ片９３，９３のうち左側のヒンジ片９３は、下方に延設されている。この延設部９８は、イジェクト機構９に係合するものであり、イジェクト機構９のロックを解除すると共に、イジェクト機構９のばね（図示せず）と協働して開閉蓋８の半開き状態（開放途中位置）に保持する。すなわち、閉塞状態にある開閉蓋８に対し、開放ボタン１０を押すと開閉蓋８は、イジェクト機構９のばねにより跳ね上げられて半開き状態になる。さらに、半開き状態の開閉蓋８を手で完全開放に向かって開くと、イジェクト機構９のロックが解除されて、イジェクト機構９のベースプレート５１が下降端位置から上昇端位置に移動して、イジェクト動作が行われる（詳細は後述する）。
【００５０】
一方、開閉蓋８の裏面前部には横向きにフック片９９が設けられており、このフック片９９が、装置本体２側の開放操作機構１００に係脱されるようになっている。開放操作機構１００は、図１２に示すように、上記の開放ボタン１０と、開放ボタン１０により動作する係止部材１０１と、係止部材１０１を係止方向に付勢する図外のばねとで構成されている。係止部材１０１は、中間位置で装置本体２に回動自在に軸支されており、中間上部には上記のフック片９９が掛け止めされるフック受け片部１０２が形成されている。また、係止部材１０１の一方の端部には開放ボタン１０が当接する当接片部１０３が、他方の端部には開閉蓋８を押圧する押圧片部１０４が形成されている。
【００５１】
開閉蓋８を閉塞すると、フック片９９はばねに抗して係止部材１０１を回動させフック受け片部１０２に掛け止めされる。一方、閉塞状態の開閉蓋８に対し、開放ボタン１０を押釦すると、ばねに抗して係止部材１０１を回動し、フック受け片部１０２からフック片９９が外れると共に押圧片部１０４が開閉蓋８を押し、上述したように開閉蓋８はイジェクト機構９のばねにより跳ね上げられる。なお、図中の符号１０５は、図外のリンクを介して印字ヘッド５３をプラテンローラ２５側に押し付ける操作子である。印字ヘッド５３は、開閉蓋８が開放している状態では、カートリッジ６の装着を許容できるように、装着待機位置に回動しているが、開閉蓋８を閉塞すると、この操作子１０５により印字ヘッド５３は、プラテンローラ２５側に回動して印字可能な状態になる。
【００５２】
次に、図１３ないし図１６を参照して、開閉蓋８の開放動作をカードリッジ６のイジェクト動作と共に説明する。図１に示すように開閉蓋８が完全閉塞している状態から、先ず開放ボタン１０を押釦して開閉蓋８を半開きの状態に開放し、さらに手で開閉蓋８を完全開放する。この状態では、イジェクト機構９のベースプレート５１は上昇端位置にある（図１３参照）。次に、所望のカートリッジ６を、このベースプレート５１に載せるようにしてポケット７にセットする。この状態では、カートリッジ６は下半部がポケット７に挿入され浮き上がった状態になっている（図１４参照）。
【００５３】
次に、カートリッジ６を下方に押して、ポケット７に深く押し込むようにする。カートリッジ６が所定の深さまで押し込まれると、ベースプレート５１がロックされ、カートリッジ６はポケット７に適切に装着された状態になる（図１５参照）。そして、次に図１のように開閉蓋８を閉塞する。開閉蓋８が閉塞されると、印字ヘッド５３がカートリッジ６のプラテンローラ２５側に押し当てられ、印字待機状態となる。
【００５４】
以降、キー操作により文字などの入力を行い、さらに印字動作を行わせるが、この時点（印字動作前）で、ポケット７に装着したカートリッジ６のシール３３を確認したくなることがある。すなわち、カートリッジ６に搭載したテープＴの幅などを確認したくなることがある。かかる場合には、再度、開放ボタン１０を押釦して開閉蓋８を半開きの状態に開放する（図１６参照）。このようにして、カートリッジ６の上面を開放しシール３３の確認を行う。
【００５５】
この確認により、カートリッジ６を交換する必要がなければ、再度手で、半開きの状態の開閉蓋８を閉塞する。また、カートリッジ６を交換する必要があれば、手で、半開きの状態の開閉蓋８を完全開放する。開閉蓋８を完全開放すると、これに連動してベースプレート５１のロックが解除され、ベースプレート５１が下降端位置から上昇端位置まで移動して、カートリッジ６を浮上させる（図１４の状態）。そして、カートリッジ６を交換した後は、上記と同様に手順でカートリッジ６を装着し、且つ開閉蓋８を閉塞する。
【００５６】
一方、印字が完了してカートリッジ６を取り出す場合には、先ず開放ボタン１０を押釦して開閉蓋８を半開きの状態にする（図１６の状態）。次に、手で開閉蓋８を完全開放し、上記と同様にカートリッジ６を浮上させる（図１４の状態）。そして、カートリッジ６を取り去った後、開閉蓋８を完全に閉塞する（図１の状態）。
【００５７】
このように本実施形態では、カートリッジ６を印字可能な位置に装着した状態で、開閉蓋８を半開き状態に開放することができる。このため、カートリッジ６をポケット７に装着したまま、そのシール３３などを確認することができる。また、この半開き状態から、開閉蓋８を閉塞して印字待機状態に迅速に戻すことができると共に、開閉蓋８を開放してカートリッジ６の交換を迅速に行うことができる。したがって、シール３３確認の煩雑さがなく、かつ印字動作への移行を迅速に行うことができる。特に、シール３３の確認は、文字の入力後であって印字動作前に行うことが多く、かかる場合に、誤ってキーを押してしまうなどの支障が生じ難く、かつ確認から印字開始までの時間を短くすることができる。
【００５８】
次に、図１７、図１８および図１９を参照して、イジェクト機構９について説明する。これらの図に示すように、イジェクト機構９は、装置本体２に固定した固定プレート１１０と、固定プレート１１０の上側に配設したベースプレート５１と、ベースプレート５１を昇降自在に支持する一対のＸリンク１１１，１１１とを備えている。各Ｘリンク１１１は、ベースプレート５１の前側および後側にそれぞれ配設され、ベースプレート５１を上下方向に平行移動させる。
【００５９】
各Ｘリンク１１１は、中間位置で相互に回動自在に連結した２個のリンク１１２，１１２から成り、２個のリンク１１２，１１２の一方の端部は、ピン１１３，１１３を介してそれぞれ固定プレート１１０およびベースプレート５１に回動自在にかつ水平方向にスライド自在に取り付けられている。また、２個のリンク１１２，１１２の他方の端部は、ピン１１３，１１３を介してそれぞれ固定プレート１１０およびベースプレート５１に回動自在に取り付けられており、下側のピン１１３には捻りコイルばね１１４が巻回されている。捻りコイルばね１１４は、Ｘリンク１１１を閉脚させる方向、すなわちベースプレート５１を上昇させる方向に付勢している。
【００６０】
一方、Ｘリンク１１１が取り付けられたベースプレート５１の立上げ部分には、一対の角孔１１５，１１５が形成されており、この角孔１１５にはロック爪１１６が係脱自在に臨んでいる。ロック爪１１６は、固定プレート１１０の下側に配設した作動リンク（図示省略）の前端部に連結され、作動リンクの後端部は、開閉蓋８のヒンジ片９３が対峙する作動レバー１１７に連結されている。作動レバー１１７は、固定プレート１１０に回動自在に取り付けられると共に、図外のばねにより後方斜めに向く姿勢を中立位置として、両回動方向に付勢されている。
【００６１】
開閉蓋８が閉塞されている状態では、ヒンジ片９３の前側の湾曲部９３ａが作動レバー１１７の上側に当接しており、開閉蓋８は開放方向に軽く付勢されている。また、開閉蓋８が半開きの状態では、作動レバー１１７は中立位置にあって、開閉蓋８を半開きの状態に軽く保持している。この状態から開閉蓋８を開放方向に回動させると、ヒンジ片９３の湾曲部９３ａは作動レバー１１７から離れ、これに代わってヒンジ片９３の先端部である延設部９８が、作動レバー１１７の下側に回り込み、ばねに抗して作動レバー１１７を起立方向（手前）に回動させる。作動レバー１１７が手前に回動すると、作動リンクを介してロック爪１１６が角孔１１５から離脱し、ベースプレート５１はロック状態を解かれ、捻りコイルばね１１４により上昇する。
【００６２】
更に、作動レバー１１７が手前に大きく回動すると、ヒンジ片９３の延設部９８は作動レバー１１７から離脱し、作動レバー１１７は中立位置に復帰する一方、開閉蓋８は自由状態となって完全開放される。なお、ベースプレート５１の下降端位置は、ロック爪１１６が角孔１１５に係合する位置であり、上昇端位置は、Ｘリンク１１１のスライド側のピン１１３がスライド端位置に当接する位置である。また、図中の符号１１８は、ベースプレート５１に形成した鋸刃片であり、この鋸刃片１１８は図外の制動歯車に噛み合って、ベースプレート５１の上昇を制動する。すなわち、ベースプレート５１は、ロック解除の後ゆっく上昇する（図２１参照）。
【００６３】
次に、図２０および図２１を参照して、イジェクト機構９の動作を簡単に説明する。図２０は上記の図１４に対応する状態であり、Ｘリンク１１１は閉脚状態にある。この状態からカートリッジ６を押圧すると、Ｘリンク１１１は開脚状態になってゆき、ベースプレート６が下降端位置に達するとロック爪１１６が角孔１１５に係合して、ベースプレート５１がロックされると共に、カートリッジ６が完全に装着される（図２１および図１５参照）。一方、半開き状態の開閉蓋８を開放方向に回動（開放）させると、ロック爪１１６が角孔１１５から外れ（ロック解除）、Ｘリンク１１１は閉脚状態に変化しながらベースプレート５１を上昇端位置まで上昇させる（図２０参照）。
【００６４】
このように、半開き状態の開閉蓋８を開放方向に回動させる動作をトリガとして、イジェクト機構９を動作させるようにしているため、イジェクト機構９を違和感なく操作することができる。また、カートリッジ６をポケット７に押し込むことで、イジェクト機構９を下降端位置に戻すようにしているため、イジェクト機構９自体、動力を必要とすることなく簡単に構成することができる。しかも、使用者はカートリッジ６の押込み動作により、カートリッジ６の適切な装着を確認することができる。
【００６５】
なお、本発明は、厚みの異なる複数種のテープカートリッジを用いる各種のテープ印刷装置に適用できることは、いうまでもない。
【００６６】
【発明の効果】
以上のように本発明のテープ印刷装置によれば、薄型のカートリッジをポケットの浅い位置に支持し、厚型のカートリッジをポケットの深い位置に支持するようにしているので、薄型のカートリッジおよび厚型のカートリッジが使用可能であると共に、これらの着脱をカートリッジの取出し溝を深くすることなく、簡単に行うことができる。また、機器本体に対するテープ状部材の位置が薄型、厚型のカートリッジで大きく変わることがないので、カートリッジの影響を受けることなく、テープ状部材への印刷を適切に行うことができる。
【図面の簡単な説明】
【図１】本発明の一実施形態に係るテープ印刷装置の外観斜視図である。
【図２】テープ印刷装置用のテープカートリッジの部分破断平面図である。
【図３】薄型カートリッジ（ａ）および厚型カートリッジ（ｂ）を裏面側から見た斜視図である。
【図４】開閉蓋を取り外した状態のポケット廻りの斜視図である。
【図５】薄型カートリッジ（ａ）および厚型カートリッジ（ｂ）をポケットに装着した状態の側面図である。
【図６】薄型カートリッジのテープ（ａ）および厚型カートリッジのテープ（ｂ）と、印字ヘッドとの位置関係を模式的に表した断面図である。
【図７】薄型カートリッジのプラテンローラ（ａ）および厚型カートリッジのプラテンローラ（ｂ）と、ローラ駆動軸との関係を表した断面図である。
【図８】薄型カートリッジの巻取り・巻出しリール（ａ）および厚型カートリッジの巻取り・巻出しリール（ｂ）と、係止解除突起との関係を表した構造図である。
【図９】薄型カートリッジのテープリール（ａ）および厚型カートリッジのテープリール（ｂ）と、規制解除突起との関係を表した構造図である。
【図１０】開閉蓋と装置本体との関係を表した開閉蓋廻りの斜視図である。
【図１１】開閉蓋を裏面側から見た斜視図である。
【図１２】開閉蓋と開放操作機構との関係を表した斜視図である。
【図１３】開閉蓋を完全開放した状態のテープ印刷装置の斜視図である。
【図１４】カートリッジをセットした状態のテープ印刷装置の斜視図である。
【図１５】カートリッジを完全に装着した状態のテープ印刷装置の斜視図である。
【図１６】開閉蓋を半開きにした状態のテープ印刷装置の斜視図である。
【図１７】イジェクト機構と開閉蓋との関係を表したイジェクト機構廻りの斜視図である。
【図１８】イジェクト機構の主要部を前方から見た斜視図である。
【図１９】イジェクト機構の主要部を後方から見た斜視図である。
【図２０】上昇したイジェクト機構とカートリッジとの関係を表した斜視図である。
【図２１】下降したイジェクト機構とカートリッジとの関係を表した斜視図である。
【符号の説明】
１  テープ印刷装置
２  装置本体
６  カートリッジ
６ａ  薄型カートリッジ
６ｂ  厚型カートリッジ
７  ポケット
９  イジェクト機構
２１  ケース
２２  テープリール
２３  リボン巻出しリール
２４  リボン巻取りリール
２５  プラテンローラ
２８  コイルばね
２８ａ  線材部
３０  爪片
３２  切欠き溝
３７  爪片
３８  段部
３９ａ  着座部
３９ｂ  着座部
４０  傾斜部
５１  ベースプレート
５２  支持突起
５３  印字ヘッド
５４  ローラ駆動軸
５５  リール駆動軸
５６  規制解除突起
５７  第１係止解除突起
５８  第２係止解除突起
７０  駆動軸本体
７１  センターピン
７３  コイルばね
８２  捻りコイルばね
８４  第１押圧部
８５  第２押圧部
Ｔ  テープ
Ｒ  インクリボン
【図１】
0003564226.tif 000002
【図２】
0003564226.tif 000003
【図３】
0003564226.tif 000004
【図４】
0003564226.tif 000005
【図５】
0003564226.tif 000006
【図６】
0003564226.tif 000007
【図７】
0003564226.tif 000008
【図８】
0003564226.tif 000009
【図９】
0003564226.tif 000010
【図１０】
0003564226.tif 000011
【図１１】
0003564226.tif 000012
【図１２】
0003564226.tif 000013
【図１３】
0003564226.tif 000014
【図１４】
0003564226.tif 000015
【図１５】
0003564226.tif 000016
【図１６】
0003564226.tif 000017
【図１７】
0003564226.tif 000018
【図１８】
0003564226.tif 000019
【図１９】
0003564226.tif 000020
【図２０】
0003564226.tif 000021
【図２１】
0003564226.tif 000022